(57)【要約】【課題】本発明は携帯電話のワン切り防止装置に関し、特に不愉快な着信音を聞くことがなく、ワン切り電話の発信者に課金が行われ、ワン切り電話の防止を行う携帯電話のワン切り防止装置を提供するものである。【解決手段】本発明は、ワン切り電話の着信があると、電話帳データベース２を検索し、ワン切り電話の発信者番号と電話帳データベース２に記録された電話番号が不一致である時、又は電話番号は一致するが、当該電話番号がゼロ秒着信の電話番号と一致する時、本例の携帯電話のワン切り処理を行う構成であり、このように構成することにより、ワン切り電話の防止を行い、更に着信音の発呼を無くすことができる。【選択図】      図１
2004356672.tif 000002
【特許請求の範囲】
【請求項１】
携帯端末装置への着信の際、電話帳データベースを検索し、該電話帳データベースに登録された電話番号と発信者番号の一致を判断する判断手段と、
該電話番号と発信者番号が不一致であると判断する時、直ちに接続し、伝言メモのアナウンスを送信する送信手段と、を有することを特徴とする携帯端末装置。
【請求項２】
前記電話番号と発信者番号が一致すると判断する時、更に前記電話帳データベースを検索し、発信者番号がゼロ秒設定の電話番号である時、前記接続を行い、伝言メモのアナウンスを発信者に送信することを特徴とする請求項１記載の携帯端末装置。
【請求項３】
前記ゼロ秒設定は、前記電話帳データベースの伝言メモ動作移動時間のエリアに設定されることを特徴とする請求項１、又は２記載の携帯端末装置。
【請求項４】
前記接続は、着信音を発呼する前に行う構成である特徴とする請求項１、２、又は３記載の携帯端末装置。。
【請求項５】
携帯電話機への着信の際、電話帳データベースを検索し、該電話帳データベースに登録された電話番号と発信者番号の一致を判断する処理と、
該電話番号と発信者番号が不一致であると判断する時、直ちに接続を行い、伝言メモのアナウンスを送信する処理と、を行うことを特徴とする携帯電話機のワン切り防止方法。
【発明の詳細な説明】
【０００１】
【発明の属する技術分野】
本発明は、携帯電話機、ＰＨＳ（ｐｅｒｓｏｎａｌ  ｈａｎｄｙ  ｐｈｏｎｅ  ｓｙｓｔｅｍ）等の携帯端末装置に関する。
【０００２】
【従来の技術】
最近、所謂ワン切り電話によるトラブルが問題になっている。例えば、自己の携帯電話の着信履歴に残った電話番号に電話をしたところツーショットダイヤル等の各種勧誘電話である場合がある。かかる場合、通話料金が発生すると共に、マナーモードに設定していない場合、不愉快な着信音を聞くことになる。
【０００３】
特許文献１にはワン切り電話等の迷惑電話防止の方法として、通話拒否方法が開示されている。例えば、携帯電話機にワン切り電話があった場合、拒否電話の電話番号登録手段を設け、当該登録手段に順次発信番号を登録し、以後同じ発信番号の着信があった場合、自動的に通話の切断を行うものである。
【０００４】
【特許文献１】
特開２０００−３１２２５６号公報
【０００５】
【発明が解決しようとする課題】
しかしながら、従来の通話拒否方法では新たなワン切り電話があった場合、不愉快な着信音を聞くことになる。また、従来の場合、携帯電話機に着信履歴のみが残り、ワン切り電話の発信者に課金されることはない。
【０００６】
そこで、本発明は不愉快な着信音を聞くことがなく、ワン切り電話の発信者に課金が行われ、ワン切り電話を実質的に防止するワン切り防止装置を提供するものである。
【０００７】
【課題を解決するための手段】
上記課題は、請求項１に記載した発明によれば、携帯端末装置への着信の際、電話帳データベースを検索し、該電話帳データベースに登録された電話番号と発信者番号の一致を判断する判断手段と、該電話番号と発信者番号が不一致であると判断する時、直ちに接続を行い、伝言メモのアナウンスを送信する送信手段とを有する携帯端末装置を提供することによって達成できる。
【０００８】
上記判断手段は、携帯電話機に着信があると、直ちに電話帳データベースを検索し、電話帳データベースに記録された発信者からの電話でない場合、直ちに伝言メモに通話を接続する構成である。
【０００９】
このように構成することにより、ワン切り電話が掛かった場合、自動的に伝言メモに接続され、発信者に課金される構成であり、発信者に経済的負担与え、実質的にワン切り電話の防止を図るものである。
【００１０】
請求項２の記載は、前記請求項１記載の発明において、前記電話番号と発信者番号が一致すると判断する時、更に前記電話帳データベースを検索し、発信者番号がゼロ秒設定の電話番号である時、前記接続を直ちに行い、伝言メモのアナウンスを発信者に送信する構成である。
【００１１】
このように構成することにより、電話帳に記録されたワン切り電話の発信者の履歴情報に基づいて本発明のワン切り防止処理を行うことができる。
請求項３の記載は、前記請求項１、又は２の記載において、前記ゼロ秒設定は、前記電話帳データベースの伝言メモ動作移動時間のエリアに設定される構成である。
【００１２】
このように構成することにより、ワン切り電話の発信者からの電話は自動的に携帯電話機に接続されることになる。
請求項４の記載は、前記請求項１、２、又は３の記載において、前記接続は、着信音を発呼する前に行う構成である。
【００１３】
このように構成することにより、ワン切り電話であると判断すると、着信音の発呼を行うことがなく、携帯電話機の携帯者が不愉快な着信音を聞くことがない。
【００１４】
上記課題は、請求項５に記載した発明によれば、携帯電話機への着信の際、電話帳データベースを検索し、該電話帳データベースに登録された電話番号と発信者番号の一致を判断する処理と、該電話番号と発信者番号が不一致であると判断する時、直ちに接続を行い、伝言メモのアナウンスを送信する処理とを行う携帯電話機のワン切り防止方法を提供することによって達成できる。
【００１５】
本発明は携帯電話機のワン切り防止方法の発明であり、携帯電話機に着信があると、直ちに電話帳データベースを検索し、電話帳データベースに記録された発信者からの電話でない場合、直ちに伝言メモに通話を接続する処理を行うことによって、発信者に課金による経済的負担与え、実質的なワン切り電話の防止を行うことができる。
【００１６】
【発明の実施の形態】
以下、本発明の実施形態を図面に基づいて詳細に説明する。
図１は、本実施形態のワン切り防止装置のシステム構成図であり、図２及び図３は本例の処理動作を説明するフローチャートである。
【００１７】
先ず、図１において、本システムは無線ユニット１、電話帳データベース２、呼出時間監視ユニット３、伝言メモユニット４、通話ユニット５で構成され、更に携帯電話機には入力キーの操作に基づく操作信号が入力する入力部６、及び電話番号等の表示を行うディスプレイ７が設けられている。また、上記各部はバスで接続されている。
【００１８】
無線ユニット１は携帯電話機の基地局と接続を行い、通話を行う為のインターフェース（Ｉ／Ｆ）であり、所定のプロトコルに基づいて処理を行う。また、呼出時間監視ユニット３は、着信から着信音の発呼までの時間や、呼出時間の監視を行う。また、伝言メモユニット４はワン切り電話の際に発信先に送信する伝言内容や、発信先からの伝言メモを記録する。また、通話ユニット５は発信者と携帯電話機の所持者が通話する際の通話制御を行う。
【００１９】
入力部６には、数字キーや機能ボタン等の入力キーの操作信号が入力し、またディスプレイ７は、例えば電話帳に記憶した電話番号等を表示する。
電話帳データベース２は図４に示す構成であり、通常の電話番号や氏名等の情報を記憶すると共に、ワン切り電話の発信者の情報も記憶する。同図において、電話帳の構成は、「電話帳Ｎｏ．」、「氏名」、「読み」、「グループ」、「電話番号」、「メールアドレス」、「伝言メモ動作移動時間」の各エリアで構成され、それぞれのエリアに対応する情報が記録される。尚、図２において、複数の電話番号、又は複数のメールアドレスを有する場合を考慮して、「電話番号」のエリアは１〜３まで形成され、「メールアドレス」のエリアも１〜３まで形成されている。
【００２０】
また、「伝言メモ動作移動時間」のエリアには、電話帳に記録される氏名毎に着信から伝言メモ動作に移動する時間が記述され、着信があった場合、発信者番号から電話帳検索を行い、対応する氏名の「伝言メモ動作移動時間」を参照して伝言メモ動作への移動時間とする。
【００２１】
例えば、本例ではワン切り電話の発信者の場合、ゼロ秒で伝言メモ動作に移行する設定とする。但し、ゼロ秒に限定されるものではなく、他の時間に設定してもよい。また、ワン切り電話の発信者でない場合でも、着信から伝言メモへの動作移動時間を自由に設定することができる。
【００２２】
以上の構成において、以下に本例の処理動作を図２及び図３に示すフローチャートを用いて説明する。
先ず、図２に示すフローチャートにおいて、携帯電話機に着信があるか判断し（ステップ（以下、ＳＴで示す）１）、着信がなければ、着信を待つ（ＳＴ１がＮＯ）。その後、着信があると（ＳＴ１がＹＥＳ）、電話帳データベース２を検索し、電話帳に登録があるか判断する（ＳＴ２）。
【００２３】
前述のように電話帳データベース２には通常の電話番号の登録と共に、ワン切り対策用のゼロ秒設定の電話番号が登録されており、当該データベースに登録があるか判断する。具体的には、着信電話の発信者番号と電話帳データベース２に記憶された電話番号を比較し、一致する時電話帳に登録があると判断する（ＳＴ２がＹＥＳ）。
【００２４】
ここで、電話帳登録がある場合（ＳＴ２がＹＥＳ）、更にゼロ秒設定の電話番号であるか判断する（ＳＴ３）。すなわち、以前にワン切り電話として登録された電話番号であるか判断する。ここで、ゼロ秒設定の電話番号ではない場合（ＳＴ３がＮＯ）、通常の電話帳に登録された発信者からの電話であり、従来と同様の処理を行う（ＳＴ４）。例えば、呼出時間監視ユニット３の監視の基、設定された時間、数回の着信音を発呼した後、伝言メモに移行する等の処理を行う。
【００２５】
一方、前述の判断（ＳＴ３）において、ゼロ秒設定の電話番号であれば（ＳＴ３がＹＥＳ）、本例のワン切り対策動作に移行する。また、前述の処理（ＳＴ２）において、電話帳に対応する電話番号がない場合にも（ＳＴ２がＮＯ）、直ちにワン切り対策動作に移行する。
【００２６】
図３は上記ワン切り対策動作を説明するフローチャートである。同図において、先ず通話を開始する（ＳＴ５）。この場合、ワン切り電話の着信と同時に通話モードに切替え、伝言アナウンスを流す（ＳＴ６）。この伝言アナウンスは、前述の伝言メモユニット４から伝言文を読み出し、無線ユニット１を介して発信者に送信する。
【００２７】
したがって、ワン切り電話を掛けた発信者の電話機器は、本例の携帯電話機に直ちに接続され、伝言アナウンスが送信されることになる。すなわち、発信者に課金が発生する。尚、その後伝言メモ録音が行われ（ＳＴ７）、ワン切り電話の受信処理が終了する。
【００２８】
以上のように、本例によればワン切り電話を掛けた場合、発信者の電話は必ず携帯電話に接続され、携帯電話から伝言アナウンスが送信され、発信者側には必ず課金が発生することになる。したがって、発信者には経済的負担となり、ワン切り電話を実質的に防止することができる。
【００２９】
また、本例によれば上記処理は着信音が発呼される前に終了し、従って携帯電話機にワン切り電話の着信がある場合でも、着信音は鳴らず、ユーザは不愉快な着信音を聞くこともない。
【００３０】
尚、上記実施形態の説明では、伝言メモアナウンスの後、伝言メモ録音に移行したが、必ずしも伝言メモ録音に移行する必要はなく、伝言メモアナウンスの後、処理を終了する構成としてもよい。
【００３１】
また、上記実施形態の説明では携帯電話機について述べたが、ＰＨＳ（ｐｅｒｓｏｎａｌ  ｈａｎｄｙ  ｐｈｏｎｅ  ｓｙｓｔｅｍ）等の携帯端末装置に適用できるものである。（付記１）  携帯端末装置への着信の際、電話帳データベースを検索し、該電話帳データベースに登録された電話番号と発信者番号の一致を判断する判断手段と、
該電話番号と発信者番号が不一致であると判断する時、直ちに接続を行い、伝言メモのアナウンスを送信する送信手段と、を有することを特徴とする携帯端末装置。
【００３２】
（付記２）  前記電話番号と発信者番号が一致すると判断する時、更に前記電話帳データベースを検索し、発信者番号がゼロ秒設定の電話番号である時、前記接続を直ちに行い、伝言メモのアナウンスを発信者に送信することを特徴とする付記１記載の携帯端末装置。
【００３３】
（付記３）  前記ゼロ秒設定は、前記電話帳データベースの伝言メモ動作移動時間のエリアに設定されることを特徴とする付記１、又は２記載の携帯電話の携帯端末装置。
【００３４】
（付記４）  前記発信者に対する伝言メモのアナウンスを送信した後、伝言メモ録音を行うことを特徴とする付記１、２、又は３記載の携帯端末装置。
（付記５）  前記接続は、着信音を発呼する前に行うことを特徴とする付記１、２、３、又は４記載の携帯端末装置。
【００３５】
（付記６）  携帯電話機への着信の際、電話帳データベースを検索し、該電話帳データベースに登録された電話番号と発信者番号の一致を判断する処理と、
該電話番号と発信者番号が不一致であると判断する時、直ちに接続を開始し、伝言メモのアナウンスを送信する処理と、を行うことを特徴とする携帯電話のワン切り防止方法。
【００３６】
（付記７）  前記電話番号と発信者番号が一致すると判断する時、更に前記電話帳データベースを検索し、発信者番号がゼロ秒着信の電話番号である時、前記接続を直ちに行い、伝言メモのアナウンスを発信者に送信することを特徴とする付記６記載の携帯電話のワン切り防止方法。
【００３７】
（付記８）  携帯電話機への着信の際、電話帳データベースを検索し、該電話帳データベースに登録された電話番号と発信者番号の一致を判断する機能と、
該電話番号と発信者番号が不一致であると判断する時、直ちに接続を行い、伝言メモのアナウンスを送信する機能と、を有するプログラムであって、携帯電話機内の処理装置に記録されたことをプログラムであることを特徴とするプログラム。
【００３８】
（付記９）  前記電話番号と発信者番号が一致すると判断する時、更に前記電話帳データベースを検索し、発信者番号がゼロ秒着信の電話番号である時、前記接続を直ちに行い、伝言メモのアナウンスを発信者に送信することを特徴とする付記８記載のプログラム。
【００３９】
（付記１０）  前記接続が行われた場合、直ちに課金が行われることを特徴とする付記１記載の携帯端末装置。
【００４０】
【発明の効果】
以上説明したように、本発明によればワン切り電話の発信者に必ず課金を行わせることによって、ワン切り電話を実質的に防止することができる。
【００４１】
また、ワン切り電話の際、不愉快な着信音を聞くこともなく、仕事等の妨げになることもない。
【図面の簡単な説明】
【図１】本実施形態のワン切り防止装置のシステム構成図である。
【図２】本実施形態の処理を説明するフローチャートである。
【図３】本実施形態のワン切り対策動作を説明するフローチャートである。
【図４】電話帳データベースの構成を説明する図である。
【符号の説明】
１  無線ユニット
２  電話帳データベース
３  呼出時間監視ユニット
４  伝言メモユニット
５  通話ユニット
６  入力部６
７  ディスプレイ
【図１】
2004356672.tif 000003
【図２】
2004356672.tif 000004
【図３】
2004356672.tif 000005
【図４】
2004356672.tif 000006